(57)【要約】【課題】摩耗を抑制しつつ堆積槽中央を効率よく冷却できる焼結鉱冷却装置の提供。【解決手段】焼結鉱１００を上部から受け入れ、堆積した焼結鉱１００を下部から排出する環状シャフト２と、環状シャフト２の内周側壁部９ａ及び外周側壁部９ｂの少なくともいずれか一方からガスを取り込み、堆積した焼結鉱１００を冷却するガス冷手段２０と、を有する焼結鉱冷却装置１であって、内周側壁部９ａと外周側壁部９ｂとの間に配管される配管部３１を有し、配管部３１には、堆積した焼結鉱１００と熱交換する水及び水蒸気の少なくともいずれか一方が流通している、という構成を採用する。【選択図】図２
2016094630.tif 000002
【特許請求の範囲】
【請求項１】
焼結鉱を上部から受け入れ、堆積した前記焼結鉱を下部から排出する環状の堆積槽と、前記堆積槽の内周側壁部及び外周側壁部の少なくともいずれか一方からガスを取り込み、堆積した前記焼結鉱を冷却するガス冷手段と、を有する焼結鉱冷却装置であって、
前記内周側壁部と前記外周側壁部との間に配管される配管部を有し、
前記配管部には、堆積した前記焼結鉱と熱交換する水及び水蒸気の少なくともいずれか一方が流通している、ことを特徴とする焼結鉱冷却装置。
【請求項２】
前記配管部の上部に設けられ、堆積した前記焼結鉱を流下させる傾斜面を備える屋根部と、を有する、ことを特徴とする請求項１に記載の焼結鉱冷却装置。
【請求項３】
前記配管部は、前記水及び水蒸気の少なくともいずれか一方を放出する散水部を有し、
前記散水部の下部に設けられ、前記屋根部との間に、前記水及び水蒸気の少なくともいずれか一方を放出するための空間を形成する下屋根部を有する、ことを特徴とする請求項２に記載の焼結鉱冷却装置。
【請求項４】
前記配管部は、
前記水及び水蒸気の少なくともいずれか一方を放出する散水部と、
前記散水部の下側につづら折り状に形成される予熱部と、を有する、ことを特徴とする請求項１〜３のいずれか一項に記載の焼結鉱冷却装置。
【請求項５】
前記配管部は、前記内周側壁部と前記外周側壁部との間に複数列設けられており、
隣り合う前記配管部の前記散水部及び前記予熱部は、高さ方向に千鳥状に配置されている、ことを特徴とする請求項４に記載の焼結鉱冷却装置。
【請求項６】
前記堆積槽の前記焼結鉱を受ける上部を覆うフードと、
前記堆積槽の上部と前記フードとの間をシールする水封シール装置と、を有し、
前記配管部は、前記水封シール装置と接続されている、ことを特徴とする請求項１〜５のいずれか一項に記載の焼結鉱冷却装置。
【請求項７】
前記水封シール装置の水を、水頭圧により、前記配管部に流通させる、ことを特徴とする請求項６に記載の焼結鉱冷却装置。
【発明の詳細な説明】
【技術分野】
【０００１】
本発明は、焼結鉱冷却装置に関するものである。
【背景技術】
【０００２】
焼結鉱とは、金属精錬の予備処理として、粉状の精錬原鉱を高温で固結したものであり、焼結鉱冷却装置は、高温の焼結鉱を取り扱い可能な温度まで冷却するものである。例えば、焼結機から排鉱される焼結鉱は６００℃程度であり、焼結鉱冷却装置によって１５０℃程度まで冷却される。焼結鉱冷却装置は、焼結鉱の冷却に供したガスを排熱回収装置に導き、焼結鉱の顕熱を熱回収する構成となっている。
【０００３】
このような焼結鉱冷却装置として、例えば、下記特許文献１に記載されたものが知られている。この焼結鉱冷却装置は、焼結鉱を受け入れて回転駆動する環状の堆積槽の上部開口をフードで覆い、フードに吸気ファンを接続し、フードを介してガスを吸引することにより、堆積された焼結鉱の隙間にガスを流通させて焼結鉱全体を冷却すると共に、冷却に供したガスをボイラーに導き、熱回収する構成となっている。
【先行技術文献】
【特許文献】
【０００４】
【特許文献１】特許第５１３８２４５号公報
【発明の概要】
【発明が解決しようとする課題】
【０００５】
ところで、上記従来技術では、堆積槽に内周ルーバー部と外周ルーバー部を設け、内周側壁部及び外周側壁部のそれぞれからガスを取り込むと共に、内周ルーバー部及び外周ルーバー部から取り込まれたガスが流れ難い堆積槽の内部に中央ルーバー部を設け、高温になり易い堆積槽中央を冷却している（特許文献１の図３参照）。
【０００６】
しかしながら、堆積槽中央を十分に冷却するためには、所定のガス流量を確保するべく中央ルーバー部のダクトを大きくしなくてはならない。中央ルーバー部が大きくなると、焼結鉱が流下できる断面積が小さくなる。焼結鉱が流下できる断面積が小さくなると、その分、焼結鉱の流下速度が増すこととなり、堆積槽の内部に設けられた中央ルーバー部の摩耗促進が懸念される。
【０００７】
本発明は、上記問題点に鑑みてなされたものであり、摩耗を抑制しつつ堆積槽中央を効率よく冷却できる焼結鉱冷却装置の提供を目的とする。
【課題を解決するための手段】
【０００８】
上記の課題を解決するために、本発明は、堆積した前記焼結鉱を下部から排出する環状の堆積槽と、前記堆積槽の内周側壁部及び外周側壁部の少なくともいずれか一方からガスを取り込み、堆積した前記焼結鉱を冷却するガス冷手段と、を有する焼結鉱冷却装置であって、前記内周側壁部と前記外周側壁部との間に配管される配管部を有し、前記配管部には、堆積した前記焼結鉱と熱交換する水及び水蒸気の少なくともいずれか一方が流通している、という構成を採用する。
この構成を採用することによって、本発明では、配管部を設け、堆積槽の内周側壁部と外周側壁部との間で、堆積した焼結鉱の中に水及び水蒸気の少なくともいずれか一方を流通させ、堆積槽中央を冷却する。堆積槽中央を水冷することにより、蒸発潜熱等を利用した効率的な冷却が可能になると共に、ガスに比べて少ない量で十分な冷却が可能になる。このため、冷却手段のサイズが小さくてすみ、堆積槽の内部で障害物となり難くなるため、焼結鉱の流下性がよく、摩耗量を小さく抑えることができる。
【０００９】
また、本発明においては、前記配管部の上部に設けられ、堆積した前記焼結鉱を流下させる傾斜面を備える屋根部と、を有する、という構成を採用する。
この構成を採用することによって、本発明では、配管部の上部に傾斜面を備える屋根部を設けることで、配管部を保護し、また、焼結鉱の流下性の低下を抑制することができる。
【００１０】
また、本発明においては、前記配管部は、前記水及び水蒸気の少なくともいずれか一方を放出する散水部を有し、前記散水部の下部に設けられ、前記屋根部との間に、前記水及び水蒸気の少なくともいずれか一方を放出するための空間を形成する下屋根部を有する、という構成を採用する。
この構成を採用することによって、本発明では、配管部の散水部の下部に下屋根部を設け、屋根部との間に空間を形成し、散水されたものが焼結鉱に直接かからないようにする。これにより、高温の焼結鉱が急冷されることなく、応力集中や内部応力の増加による亀裂の発生を防止し、焼結鉱の品質低下を抑制することができる。
【００１１】
また、本発明においては、前記配管部は、前記水及び水蒸気の少なくともいずれか一方を放出する散水部と、前記散水部の下側につづら折り状に形成される予熱部と、を有する、という構成を採用する。
この構成を採用することによって、本発明では、散水部の下部につづら折り状に予熱部を配管することで、焼結鉱との熱交換面積を十分に確保し、予熱したものを焼結鉱に散水することができる。これにより、高温の焼結鉱が急冷されることなく、応力集中や内部応力の増加による亀裂の発生を防止し、焼結鉱の品質低下を抑制することができる。
【００１２】
また、本発明においては、前記配管部は、前記内周側壁部と前記外周側壁部との間に複数列設けられており、隣り合う前記配管部の前記散水部及び前記予熱部は、高さ方向に千鳥状に配置されている、という構成を採用する。
この構成を採用することによって、本発明では、配管部を複数列設け、高さ方向に千鳥状に配置することで、隣り合う散水部及び予熱部の高さを異ならせて、焼結鉱が流下できる断面積を狭めず、且つ、焼結鉱の流下経路を蛇行させ、焼結鉱を十分に冷却することができる。
【００１３】
また、本発明においては、前記堆積槽の前記焼結鉱を受ける上部を覆うフードと、前記堆積槽の上部と前記フードとの間をシールする水封シール装置と、を有し、前記配管部は、前記水封シール装置と接続されている、という構成を採用する。
この構成を採用することによって、本発明では、堆積槽の上部とフードとの間を水封シールすると共に、その水封シールの水を堆積槽中央の冷却に用いることで、別途水源を設けずともよくなり、装置の小型化を図ることができる。
【００１４】
また、本発明においては、前記水封シール装置の水を、水頭圧により、前記配管部に流通させる、という構成を採用する。
この構成を採用することによって、本発明では、水頭圧を利用し、水封シール装置の水を流通させることで、ポンプ等を設けずともよくなり、装置の小型化を図ることができる。
【発明の効果】
【００１５】
本発明によれば、摩耗を抑制しつつ堆積槽中央を効率よく冷却できる焼結鉱冷却装置が得られる。
【図面の簡単な説明】
【００１６】
【図１】本発明の実施形態における焼結鉱冷却装置の全体構成図である。
【図２】図１における矢視Ａ−Ａ断面図である。
【図３】本発明の実施形態における水冷手段の斜視図である。
【図４】本発明の実施形態における水冷手段の要部拡大図である。
【図５】本発明の一変形例における水冷手段の断面図である。
【図６】本発明の一変形例における水冷手段の断面図である。
【発明を実施するための形態】
【００１７】
以下、本発明の実施形態について図面を参照して説明する。
【００１８】
図１は、本発明の実施形態における焼結鉱冷却装置１の全体構成図である。図２は、図１における矢視Ａ−Ａ断面図である。図３は、本発明の実施形態における水冷手段３０の斜視図である。図４は、本発明の実施形態における水冷手段３０の要部拡大図である。
焼結鉱冷却装置１は、焼結鉱１００（図２参照）を冷却し、焼結鉱１００の顕熱を熱回収する構成となっている。
【００１９】
焼結鉱１００とは、金属精錬の予備処理として、粉状の精錬原鉱を高温で固結したものである。この焼結鉱１００には、鉄及び鉄を主成分とした合金の他、ニッケル等の非鉄金属も含まれ、バインダーを介して固結したものも含まれる。
また、本実施形態では、焼結鉱１００を冷却するガスとして、空気（外気）を用いるが、成分調整をしたガス（例えば不活性ガス等）を用いてもよい。
【００２０】
焼結鉱冷却装置１は、図１に示すように、環状シャフト２（環状の堆積槽）と、ボイラー３と、吸気ファン４と、焼結機５と、粉砕機６と、を有する。環状シャフト２は、焼結鉱１００を受け入れて、回転駆動するものであり、吸気ファン４は、環状シャフト２の内部のガスを吸気し、環状シャフト２に堆積した焼結鉱１００を冷却するガス流れを形成するものである。吸気ファン４の吸気によって、環状シャフト２から排出されたガスは、ボイラー３で熱回収された後、不図示の煙突を通り、外部に排出される。
【００２１】
焼結機５は、移動炉床状に形成した精錬原鉱に点火し、焼結作用により焼結ケーキを製造するものであり、粉砕機６は、焼結ケーキを粉砕して焼結鉱１００とするものである。
環状シャフト２は、図２に示すように、焼結鉱１００を受け入れる給鉱部７と、焼結鉱１００を排出する排鉱部８と、を有する。給鉱部７は、環状シャフト２の上部に設けられ、上方に開口している。排鉱部８は、環状シャフト２の下部に設けられ、側方に開口している。焼結鉱１００は、不図示のスクレーパーによって排鉱部８から排出される。
【００２２】
環状シャフト２は、図２に示すように、回転駆動装置１０を備える。回転駆動装置１０は、旋回テーブル１１と、支持ローラー１２と、を有する。旋回テーブル１１は、環状シャフト２の槽本体を支持し、環状シャフト２の軸心（回転中心）周りに回転自在な構成となっている。支持ローラー１２は、旋回テーブル１１を支持し、不図示の駆動モーターと接続されている。環状シャフト２は、駆動モーターによって回転駆動する支持ローラー１２の回転摩擦力により旋回テーブル１１が回転することで、軸心周りに回転する。
【００２３】
環状シャフト２の上部は、フード１３によって覆われている。フード１３は、環状シャフト２の全周に亘って環状に形成されるとともに、所定の高さに固定されている。このフード１３には、図１に示すボイラー３に接続される不図示の排気ダクトと、粉砕機６から焼結鉱１００が供給される不図示のシュートと、が接続されている。固定側のフード１３と、回転側の環状シャフト２の上部との間は、水封シール装置１４によって相対回転自在にシールされている。水封シール装置１４は、環状シャフト２の上部に設けられた溝部１５と、溝部１５に供給された水１６と、フード１３に設けられた水封板１７と、によって構成されている。
【００２４】
溝部１５は、環状シャフト２の内周側壁部９ａ及び外周側壁部９ｂの上端部のそれぞれに、全周に亘って設けられている。この溝部１５には、不図示の水源（上水道等）から所定量の水１６が常に供給されている。水封板１７は、フード１３の下部に設けられており、内周側壁部９ａ及び外周側壁部９ｂに設けられた溝部１５の水１６にそれぞれ沈下するように延在している。この構成によれば、環状シャフト２の上部とフード１３との間が内外周とも水封されるため、ガス漏れを防止しつつ、環状シャフト２（回転側）とフード１３（固定側）との相対回転が可能となる。
【００２５】
環状シャフト２には、図２に示すように、内周側壁部９ａ及び外周側壁部９ｂの少なくともいずれか一方からガスを取り込み、堆積した焼結鉱１００を冷却するガス冷手段２０が設けられている。本実施形態のガス冷手段２０は、吸気ファン４の吸気によって外部のガスを導入するガス導入部２１を、内周側壁部９ａ及び外周側壁部９ｂの両方に有する。ガス導入部２１は、環状シャフト２の下部であって、排鉱部８よりも上方に設けられている。
【００２６】
ガス導入部２１は、内周側壁部９ａに設けられた内周ルーバー部２２ａと、外周側壁部９ｂに設けられた外周ルーバー部２２ｂと、によって形成されている。内周ルーバー部２２ａ及び外周ルーバー部２２ｂは、環状シャフト２の内外を挟んで対向し、且つ、対称的に設けられており、焼結鉱１００が漏れ出さないように、上方に向かって羽を外側に広げる向き（焼結鉱１００の安息角による傾斜面に対向する向き）で傾斜している。
【００２７】
内周ルーバー部２２ａ及び外周ルーバー部２２ｂの傾斜角度は、焼結鉱１００の安息角に基づいて設定されている。但し、内周ルーバー部２２ａ及び外周ルーバー部２２ｂの傾斜角度を大きくするほど、ルーバー間が狭くなりガスの流路抵抗が大きくなるため、ガスの流路抵抗を小さく且つルーバーの枚数を少なくするためには、内周ルーバー部２２ａ及び外周ルーバー部２２ｂの傾斜角度を極力、水平に近づけた角度とすることが好ましい。
【００２８】
このガス冷手段２０によれば、吸気ファン４の吸気によってフード１３の内部のガスが引かれると、環状シャフト２の内周側壁部９ａ及び外周側壁部９ｂの両方から外気が取り込まれる。取り込まれた外気は、焼結鉱１００の隙間を通って上昇し、その過程で焼結鉱１００を冷却する。ところで、取り込まれたガスは、はじめ内周側壁部９ａ及び外周側壁部９ｂの内側に沿って流れ、上昇する過程で拡散し、焼結鉱１００全体を冷却する。しかしながら、ガスが拡散する前の環状シャフト２の下部中央においては、焼結鉱１００が冷却され難い。このため、焼結鉱冷却装置１は、ガス冷手段２０の他に、水冷手段３０を備える。
【００２９】
水冷手段３０は、内周側壁部９ａと外周側壁部９ｂとの間で、堆積した焼結鉱１００と熱交換する水及び水蒸気の少なくともいずれか一方を流通させるものである。水冷手段３０は、内周側壁部９ａと外周側壁部９ｂとの間に配管される配管部３１を有する。配管部３１は、ガス導入部２１と同等の高さに配管されている。配管部３１は、高温の焼結鉱１００が堆積する環状シャフト２の内部に配管されるため、耐熱性の金属材等から形成されている。
【００３０】
本実施形態の配管部３１は、２列（配管部３１Ａ，３１Ｂ）で設けられている。この配管部３１は、図１に示すように、環状シャフト２の周方向において複数のユニットに分割されており、配管部３１のユニットが環状シャフト２の周方向に間隔をあけて複数設けられている。なお、配管部３１は、環状シャフト２の内周側壁部９ａと外周側壁部９ｂとの間に架設された不図示のフレーム（強度部材）に支持される。
【００３１】
図２に戻り、配管部３１の上部には、屋根部３２が設けられている。屋根部３２は、堆積した焼結鉱１００を流下させる傾斜面３２ａ（図４参照）を備える。屋根部３２は、配管部３１を保護するものであり、例えば、アングル型の鋼材から形成することができる。この屋根部３２は、少なくとも配管部３１の水平方向に延びる部分（図３参照）を覆うように設けられている。
【００３２】
配管部３１は、水及び水蒸気の少なくともいずれか一方を放出する散水部３３を有しており、この散水部３３の下部には、図４に示すように、下屋根部３４が設けられている。下屋根部３４は、屋根部３２との間に、水及び水蒸気の少なくともいずれか一方を放出するための空間Ｓを形成するものであり、散水の緩衝板として機能する。この下屋根部３４は、例えば、焼結鉱１００の安息角を考慮して平板の鋼材から形成することができる。
【００３３】
散水部３３には、空間Ｓに向けて開口する散水穴３５が形成されている。本実施形態の散水穴３５は、斜め下方に向いて開口している。この散水部３３は、図３に示すように、水平方向に延び、水平方向の複数箇所から散水可能な構成となっている。
配管部３１は、散水部３３の下側に、つづら折り状に形成される予熱部３６を有する。予熱部３６には散水穴３５が設けられておらず、環状シャフト２内で蛇行することで、焼結鉱１００との熱交換面積を大きく確保する構成となっている。本実施形態の予熱部３６は、高さ方向に二段で形成されており、その上の散水部３３に連通している。
【００３４】
図２に示すように、水冷手段３０は、水封シール装置１４の水を、堆積した焼結鉱１００の中に放出するための給水部３７を有する。給水部３７は、溝部１５の下部に連通すると共にそこから下方に延在し、予熱部３６の最下段に連通するように配管されている。給水部３７には、流量調節弁３８が設けられている。流量調節弁３８は、給水部３７の流路面積を絞り、水冷手段３０からの散水量を制御するものである。
【００３５】
続いて、上記構成の焼結鉱冷却装置１の動作及び作用について説明する。
【００３６】
焼結鉱冷却装置１は、焼結鉱１００を環状シャフト２の上部から受け入れると共に、環状シャフト２の内周側壁部９ａ及び外周側壁部９ｂからガスを取り込み、堆積した焼結鉱１００を冷却する。上述したように、ガス冷手段２０のみでは、環状シャフト２の中央は冷え難いため、本実施形態の焼結鉱冷却装置１は、図２に示すように、内周側壁部９ａと外周側壁部９ｂとの間で、堆積した焼結鉱１００と熱交換する水及び水蒸気の少なくともいずれか一方を流通させる水冷手段３０を有する。
【００３７】
この構成によれば、環状シャフト２の内周側壁部９ａと外周側壁部９ｂとの間で、堆積した焼結鉱１００の中に水及び水蒸気の少なくともいずれか一方を流通させ、環状シャフト２の中央を冷却することができる。環状シャフト２の中央を水冷することにより、蒸発潜熱等を利用して効率的な冷却が可能になると共に、ガスに比べて少ない量で十分な冷却が可能になる。このため、水冷手段３０のサイズが従来技術のガスダクトと比べて小さくてすみ、環状シャフト２の内部での障害物となり難くなる。このため、焼結鉱１００の流下性がよく（焼結鉱１００の流下速度が高くならず）、水冷手段３０の摩耗量を小さく抑えることができる。
【００３８】
また、本実施形態の水冷手段３０は、図４に示すように、内周側壁部９ａと外周側壁部９ｂとの間に配管される配管部３１の上部に、傾斜面３２ａを備える屋根部３２を設け、堆積した焼結鉱１００を流下させる。この構成によれば、焼結鉱１００から配管部３１を保護し、また、焼結鉱１００の流下性の低下を抑制することができる。
【００３９】
さらに、本実施形態の水冷手段は、配管部３１の散水部３３の下部に下屋根部３４を設け、屋根部３２との間に水及び水蒸気の少なくともいずれか一方を放出するための空間Ｓを形成する。この構成によれば、散水部３３から散水されたものが焼結鉱１００に直接かからないようになる。このため、高温の焼結鉱１００が急冷されることなく、応力集中や内部応力の増加による亀裂の発生を防止し、焼結鉱１００の品質低下を抑制することができる。
【００４０】
加えて、本実施形態の水冷手段３０は、図３に示すように、散水部３３の下側に、予熱部３６をつづら折り状に形成する。この構成によれば、予熱部３６を環状シャフト２の内部に長く配管することができ、焼結鉱１００との熱交換面積を十分に確保し、予熱したもの（予熱により高温になった水若しくはその水が蒸気となったもの）を散水部３３から焼結鉱１００に散水することができる。このため、高温の焼結鉱１００が急冷されることなく、応力集中や内部応力の増加による亀裂の発生を防止し、焼結鉱１００の品質低下を確実に抑制することができる。
【００４１】
また、本実施形態の水冷手段３０は、図２に示すように、水封シール装置１４の水を、給水部３７を介して取り込み、堆積した焼結鉱１００の中に放出する。この構成によれば、環状シャフト２の上部とフード１３との間を水封シールすると共に、その水封シールの水を環状シャフト２の中央の冷却に用いることができる。このため、水冷手段３０のために別途水源を設けずともよくなり、装置の小型化を図ることができる。
【００４２】
さらに、本実施形態の水冷手段３０は、水封シール装置１４の水を、水頭圧により、堆積した焼結鉱１００の中に流通させ放出する。この構成によれば、水頭圧を利用し、水封シール装置１４の水を散水することができため、水冷手段３０のためにポンプ等を設けずともよくなり、さらなる装置の小型化を図ることができる。
【００４３】
このように、上述の本実施形態によれば、焼結鉱１００を上部から受け入れ、堆積した焼結鉱１００を下部から排出する環状シャフト２と、環状シャフト２の内周側壁部９ａ及び外周側壁部９ｂの少なくともいずれか一方からガスを取り込み、堆積した焼結鉱１００を冷却するガス冷手段２０と、を有する焼結鉱冷却装置１であって、内周側壁部９ａと外周側壁部９ｂとの間に配管される配管部３１を有し、配管部３１には、堆積した焼結鉱１００と熱交換する水及び水蒸気の少なくともいずれか一方が流通している、という構成を採用することによって、摩耗を抑制しつつ環状シャフト２中央を効率よく冷却できる焼結鉱冷却装置１が得られる。
【００４４】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【００４５】
例えば、本発明は、図５及び図６に示すような変形例を採用し得る。
なお、以下の説明において、上述の実施形態と同一又は同等の構成部分については同一の符号を付し、その説明を簡略若しくは省略する。
【００４６】
図５に示す水冷手段３０は、伝熱板３９を有する。伝熱板３９は、散水部３３から下方に延び、予熱部３６の上部を覆う屋根部３２に接続されている。この構成によれば、つづら折り状になった配管部３１の上下間においても冷却することができる。また、散水部３３の散水方向を、伝熱板３９に沿わせるようにすることにより、伝熱板３９を介して環状シャフト２の中央をさらに効率よく冷却できる。
【００４７】
また、図６に示す水冷手段３０は、配管部３１が３列（配管部３１Ａ，３１Ｂ，３１Ｃ）設けられており、隣り合う配管部３１の散水部３３及び予熱部３６が、高さ方向に千鳥状に配置されている。この構成によれば、隣り合う散水部３３及び予熱部３６の高さが異なるため、例えば、同一高さの障害物の間隔（例えば、配管部３１Ａの散水部３３と配管部３１Ｃの散水部３３との間隔）が広くなる。このため、焼結鉱１００が流下できる断面積を狭めずに済む。また、配管部３１を千鳥状に配置することで、焼結鉱１００の流下経路を蛇行させることができ、焼結鉱１００を十分に冷却することができる。さらに、散水穴３５ａを水平方向に開口させることにより、水１６を散水部３３の内部に留まらせつつ、予熱により水蒸気となったものを、散水部３３から焼結鉱１００に散水することができる。このため、高温の焼結鉱１００が急冷されることなく、応力集中や内部応力の増加による亀裂の発生を防止し、焼結鉱１００の品質低下を抑制することができる。
【００４８】
また、例えば、上記実施形態では、予熱部３６が一段若しくは二段の構成を例示したが、本発明はこの構成に限定されず、予熱部３６が三段以上であってもよい。
また、上記実施形態では、配管部３１が複列の構成を例示したが、本発明はこの構成に限定されず、配管部３１が単列であっても、４列以上であってもよい。
【００４９】
また、例えば、上記実施形態では、配管部３１が散水部３３を有する構成を例示したが、本発明はこの構成に限定されず、水及び水蒸気の放出を行わずに、予熱部３６により水等を予熱したものを他の設備へ供給する構成であってもよい。
【００５０】
また、例えば、上述した実施形態及び変形例の構成の置換及び組み合わせは適宜可能である。
【符号の説明】
【００５１】
１  焼結鉱冷却装置
２  環状シャフト（堆積槽）
７  給鉱部
８  排鉱部
９ａ  内周側壁部
９ｂ  外周側壁部
１３  フード
１４  水封シール装置
２０  ガス冷手段
３０  水冷手段
３１  配管部
３２  屋根部
３２ａ  傾斜面
３３  散水部
３４  下屋根部
３６  予熱部
３７  給水部
１００  焼結鉱
Ｓ  空間
【図１】
2016094630.tif 000003
【図２】
2016094630.tif 000004
【図３】
2016094630.tif 000005
【図４】
2016094630.tif 000006
【図５】
2016094630.tif 000007
【図６】
2016094630.tif 000008